【手続補正書】
【提出日】平成17年10月28日(2005.10.28)
【手続補正１】
【補正対象書類名】明細書
【補正対象項目名】発明の名称
【補正方法】変更
【補正の内容】
【発明の名称】通信システム、通信装置及び制御方法
【手続補正２】
【補正対象書類名】明細書
【補正対象項目名】特許請求の範囲
【補正方法】変更
【補正の内容】
【特許請求の範囲】
【請求項１】  データ通信バスを介して画質調整データを送信するコントロールノードと、
上記コントロールノードから送信された画質調整データを受信して、上記受信した画質調整データに従って動作するターゲットノードとを有することを特徴とする通信システム。
【請求項２】  データ通信バスを介して送信される画質調整データを受信し、上記受信した画質調整データに従い表示画質を変化させる表示装置を有することを特徴とする通信システム。
【請求項３】  データ通信バスを介して送信される画質調整データを受信して、上記受信した画質調整データに従い撮影画質を変化させる撮影装置を有することを特徴とする通信システム。
【請求項４】  データ通信バスを介して送信される画質調整データを受信し、上記受信した画質調整データに従い表示画質を変化させる表示装置と、
上記データ通信バスを介して送信される画質調整データを受信して、上記受信した画質調整データに従い撮影画質を変化させる撮影装置とを有することを特徴とする通信システム。
【請求項５】  上記画質調整データは、色合い、色の濃さ、コントラスト、輪郭補償及び明るさの何れかを調整するデータであることを特徴とする請求項１〜４の何れか１項に記載の通信システム。
【請求項６】  上記データ通信バスは、ＩＥＥＥ１３９４シリアルバスであることを特徴とする請求項１〜５の何れか１項に記載の通信システム。
【請求項７】  データ通信バスを介して他の通信装置に画質調整データを送信する画質調整データ送信手段を有することを特徴とする通信装置。
【請求項８】  データ通信バスを介して送信される画質調整データを受信し、上記受信した画質調整データに従い表示画質を変化させる表示画質調整手段を有することを特徴とする通信装置。
【請求項９】  データ通信バスを介して送信される画質調整データを受信して、上記受信した画質調整データに従い撮影画質を変化させる撮影画質調整手段とを有することを特徴とする通信装置。
【請求項１０】  上記画質調整データは、色合い、色の濃さ、コントラスト、輪郭補償及び明るさの何れかを調整するデータであることを特徴とする請求項７〜９の何れか１項に記載の通信装置。
【請求項１１】  上記データ通信バスは、ＩＥＥＥ１３９４シリアルバスであることを特徴とする請求項７〜１０の何れか１項に記載の通信装置。
【請求項１２】  データ通信バスに接続されている所定の通信装置から画質調整データを送信して、上記データ通信バスに接続されている表示装置の表示画質を変化させることを特徴とする制御方法。
【請求項１３】  データ通信バスに接続されている通信装置から画質調整データを送信して、上記データ通信バスに接続されている撮影装置の撮影画質を変化させることを特徴とする制御方法。
【請求項１４】  データ通信バスに接続されている所定の通信装置から画質調整データを送信して、上記データ通信バスに接続されている表示装置の表示画質を変化させるとともに、上記データ通信バスに接続されている撮影装置の撮影画質を変化させることを特徴とする制御方法。
【請求項１５】  上記画質調整データは、色合い、色の濃さ、コントラスト、輪郭補償及び明るさの何れかを調整するデータであることを特徴とする請求項１２〜１４の何れか１項に記載の制御方法。
【請求項１６】  上記データ通信バスは、ＩＥＥＥ１３９４シリアルバスであることを特徴とする請求項１２〜１５の何れか１項に記載の制御方法。
【請求項１７】  請求項１２〜１６の何れか１項に記載の制御方法をコンピュータに実行させるためのプログラムを格納したことを特徴とする記憶媒体。
【手続補正３】
【補正対象書類名】明細書
【補正対象項目名】０００１
【補正方法】変更
【補正の内容】
【０００１】
【発明の属する技術分野】
本発明は、通信システム、通信装置及び制御方法並びに記憶媒体に関する。
【手続補正４】
【補正対象書類名】明細書
【補正対象項目名】００２５
【補正方法】変更
【補正の内容】
【００２５】
【課題を解決するための手段】
本発明に係る通信システムの一つは、データ通信バスを介して画質調整データを送信するコントロールノードと、上記コントロールノードから送信された画質調整データを受信して、上記受信した画質調整データに従って動作するターゲットノードとを有することを特徴とする。
本発明に係る通信システムの一つは、データ通信バスを介して送信される画質調整データを受信し、上記受信した画質調整データに従い表示画質を変化させる表示装置を有することを特徴とする。
本発明に係る通信システムの一つは、データ通信バスを介して送信される画質調整データを受信して、上記受信した画質調整データに従い撮影画質を変化させる撮影装置を有することを特徴とする。
本発明に係る通信システムの一つは、データ通信バスを介して送信される画質調整データを受信し、上記受信した画質調整データに従い表示画質を変化させる表示装置と、上記データ通信バスを介して送信される画質調整データを受信して、上記受信した画質調整データに従い撮影画質を変化させる撮影装置とを有することを特徴とする。
【手続補正５】
【補正対象書類名】明細書
【補正対象項目名】００２６
【補正方法】変更
【補正の内容】
【００２６】
本発明に係る通信装置の一つは、データ通信バスを介して他の通信装置に画質調整データを送信する画質調整データ送信手段を有することを特徴とする。
本発明に係る通信装置の一つは、データ通信バスを介して送信される画質調整データを受信し、上記受信した画質調整データに従い表示画質を変化させる表示画質調整手段を有することを特徴とする。
本発明に係る通信装置の一つは、データ通信バスを介して送信される画質調整データを受信して、上記受信した画質調整データに従い撮影画質を変化させる撮影画質調整手段とを有することを特徴とする。
【手続補正６】
【補正対象書類名】明細書
【補正対象項目名】００２７
【補正方法】変更
【補正の内容】
【００２７】
本発明に係る制御方法の一つは、データ通信バスに接続されている所定の通信装置から画質調整データを送信して、上記データ通信バスに接続されている表示装置の表示画質を変化させることを特徴とする。
本発明に係る制御方法の一つは、データ通信バスに接続されている通信装置から画質調整データを送信して、上記データ通信バスに接続されている撮影装置の撮影画質を変化させることを特徴とする。
本発明に係る制御方法の一つは、データ通信バスに接続されている所定の通信装置から画質調整データを送信して、上記データ通信バスに接続されている表示装置の表示画質を変化させるとともに、上記データ通信バスに接続されている撮影装置の撮影画質を変化させることを特徴とする。
本発明に係る記憶媒体の一つは、上記の制御方法の何れかをコンピュータに実行させるためのプログラムを格納したことを特徴とする。
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】変更
【補正の内容】
【００２９】
【発明の実施の形態】
以下、図面を参照して、本発明の実施の形態について説明する。
図１において、１０はコンピュータ、１２は演算処理装置（ＭＰＵ）、１４は第１の１３９４インターフェイス、１６はキーボード、マウス等よりなる第１の操作部、１８は第１のデコーダ、２０はＣＲＴディスプレイなどの表示装置、２２はハードディスク、２４は第１のメモリ、２６はＰＣＩバスなどのコンピュータ内部バス、２８は第１の１３９４インターフェイス端子である。